(57)【特許請求の範囲】
【請求項１】
Ｒ信号，Ｇ信号，Ｂ信号を表示部に供給して画像表示させたときの前記表示部の画面上の輝度むらを補正するため、前記Ｒ信号に乗算するＲ信号用のユニフォミティ補正データと、前記Ｇ信号に乗算するＧ信号用のユニフォミティ補正データと、前記Ｂ信号に乗算するＢ信号用のユニフォミティ補正データを発生するユニフォミティ補正データ発生部と、
前記Ｒ信号を構成するそれぞれの画素信号に前記Ｒ信号用のユニフォミティ補正データを乗算し、前記Ｇ信号を構成するそれぞれの画素信号に前記Ｇ信号用のユニフォミティ補正データを乗算し、前記Ｂ信号を構成するそれぞれの画素信号に前記Ｂ信号用のユニフォミティ補正データを乗算する乗算器と、
を備え、
前記乗算器が前記Ｒ信号を構成するそれぞれの画素信号に前記Ｒ信号用のユニフォミティ補正データを乗算するときの画素の位置と、前記乗算器が前記Ｇ信号を構成するそれぞれの画素信号に前記Ｇ信号用のユニフォミティ補正データを乗算するときの画素の位置と、前記乗算器が前記Ｂ信号を構成するそれぞれの画素信号に前記Ｂ信号用のユニフォミティ補正データを乗算するときの画素の位置とを互いにずらしている
ことを特徴とする画像処理装置。
【請求項２】
前記ユニフォミティ補正データ発生部は、
前記画面上の水平方向及び垂直方向に配列した複数のポイントそれぞれにおける基準補正値よりなる基準ユニフォミティ補正データを記憶するユニフォミティ補正データ記憶部と、
前記基準ユニフォミティ補正データに基づいて、前記複数のポイント以外のポイントにおける補正値を補間して、前記ユニフォミティ補正データを生成するユニフォミティ補正データ補間部と、
を有することを特徴とする請求項１に記載の画像処理装置。
【請求項３】
前記ユニフォミティ補正データ補間部は、前記画面上の水平方向及び垂直方向それぞれの位置情報を用いて、前記複数のポイント以外のポイントにおける補正値を補間し、
前記ユニフォミティ補正データ補間部が前記Ｒ信号用のユニフォミティ補正データを生成するときに用いる位置情報と、前記ユニフォミティ補正データ補間部が前記Ｇ信号用のユニフォミティ補正データを生成するときに用いる位置情報と、前記ユニフォミティ補正データ補間部が前記Ｂ信号用のユニフォミティ補正データを生成するときに用いる位置情報とを水平方向及び垂直方向にずらすことによって、前記乗算器が前記Ｒ信号を構成するそれぞれの画素信号に前記Ｒ信号用のユニフォミティ補正データを乗算するときの画素の位置と、前記乗算器が前記Ｇ信号を構成するそれぞれの画素信号に前記Ｇ信号用のユニフォミティ補正データを乗算するときの画素の位置と、前記乗算器が前記Ｂ信号を構成するそれぞれの画素信号に前記Ｂ信号用のユニフォミティ補正データを乗算するときの画素の位置とを水平方向及び垂直方向にずらす
ことを特徴とする請求項２に記載の画像処理装置。
【請求項４】
前記Ｒ信号，Ｇ信号，Ｂ信号のうちのいずれかの色信号レベルが所定の閾値未満であるとき、色信号レベルが所定の閾値未満である色信号に乗算するユニフォミティ補正データによるユニフォミティ補正を弱めるように、当該ユニフォミティ補正データを補正するレベル補正部をさらに備えることを特徴とする請求項１〜３のいずれか１項に記載の画像処理装置。
【請求項５】
Ｒ信号，Ｇ信号，Ｂ信号を表示部に供給して画像表示させたときの前記表示部の画面上の輝度むらを補正するため、前記Ｒ信号に乗算するＲ信号用のユニフォミティ補正データと、前記Ｇ信号に乗算するＧ信号用のユニフォミティ補正データと、前記Ｂ信号に乗算するＢ信号用のユニフォミティ補正データとをそれぞれ発生させ、
前記Ｒ信号を構成するそれぞれの画素信号に前記Ｒ信号用のユニフォミティ補正データを乗算し、
前記Ｇ信号を構成するそれぞれの画素信号に前記Ｇ信号用のユニフォミティ補正データを乗算し、
前記Ｂ信号を構成するそれぞれの画素信号に前記Ｂ信号用のユニフォミティ補正データを乗算し、
前記Ｒ信号を構成するそれぞれの画素信号に前記Ｒ信号用のユニフォミティ補正データを乗算するときの画素の位置と、前記Ｇ信号を構成するそれぞれの画素信号に前記Ｇ信号用のユニフォミティ補正データを乗算するときの画素の位置と、前記Ｂ信号を構成するそれぞれの画素信号に前記Ｂ信号用のユニフォミティ補正データを乗算するときの画素の位置とを互いにずらす
ことを特徴とする画像処理方法。
【請求項６】
請求項１〜４のいずれか１項に記載の画像処理装置と、
前記表示部と、
を備えることを特徴とする画像表示装置。
【発明の詳細な説明】
【技術分野】
【０００１】
本発明は、輝度むらを低減させることができる画像処理装置、画像処理方法、画像表示装置に関する。
【背景技術】
【０００２】
液晶パネル，プラズマディスプレイパネル，有機エレクトロルミネセンスパネル等のマトリクス型表示パネルを用いた画像表示装置においては、画面上の輝度は画面の全体で一定とは限らず、輝度むらが発生することがある。製品の物理的なばらつきに起因して、輝度むらが発生することもある。
【０００３】
スタジオモニタや医療用モニタでは輝度むらに対する要求精度が高く、輝度むらを極力低減させることが必要である。画面上の輝度を均一化するよう輝度むらを補正することを、ユニフォミティ補正と称する。
【先行技術文献】
【特許文献】
【０００４】
【特許文献１】特開２００５−１１５４００号公報
【発明の概要】
【発明が解決しようとする課題】
【０００５】
従来の画像処理装置によって画面上の輝度を画面の全体でほぼ一定となるようにユニフォミティ補正したとしても、所定の形状の輝度むらが発生することが明らかとなった。
【０００６】
本発明は、画面上の輝度を画面の全体でほぼ一定となるようにユニフォミティ補正することができ、さらに、所定の形状の輝度むらも低減させることができる画像処理装置、画像処理方法、画像表示装置を提供することを目的とする。
【課題を解決するための手段】
【０００７】
本発明は、上述した従来の技術の課題を解決するため、Ｒ信号，Ｇ信号，Ｂ信号を表示部に供給して画像表示させたときの前記表示部の画面上の輝度むらを補正するため、前記Ｒ信号に乗算するＲ信号用のユニフォミティ補正データと、前記Ｇ信号に乗算するＧ信号用のユニフォミティ補正データと、前記Ｂ信号に乗算するＢ信号用のユニフォミティ補正データを発生するユニフォミティ補正データ発生部と、前記Ｒ信号を構成するそれぞれの画素信号に前記Ｒ信号用のユニフォミティ補正データを乗算し、前記Ｇ信号を構成するそれぞれの画素信号に前記Ｇ信号用のユニフォミティ補正データを乗算し、前記Ｂ信号を構成するそれぞれの画素信号に前記Ｂ信号用のユニフォミティ補正データを乗算する乗算器とを備え、前記乗算器が前記Ｒ信号を構成するそれぞれの画素信号に前記Ｒ信号用のユニフォミティ補正データを乗算するときの画素の位置と、前記乗算器が前記Ｇ信号を構成するそれぞれの画素信号に前記Ｇ信号用のユニフォミティ補正データを乗算するときの画素の位置と、前記乗算器が前記Ｂ信号を構成するそれぞれの画素信号に前記Ｂ信号用のユニフォミティ補正データを乗算するときの画素の位置とを互いにずらしていることを特徴とする画像処理装置を提供する。
【０００８】
また、本発明は、上述した従来の技術の課題を解決するため、Ｒ信号，Ｇ信号，Ｂ信号を表示部に供給して画像表示させたときの前記表示部の画面上の輝度むらを補正するため、前記Ｒ信号に乗算するＲ信号用のユニフォミティ補正データと、前記Ｇ信号に乗算するＧ信号用のユニフォミティ補正データと、前記Ｂ信号に乗算するＢ信号用のユニフォミティ補正データとをそれぞれ発生させ、前記Ｒ信号を構成するそれぞれの画素信号に前記Ｒ信号用のユニフォミティ補正データを乗算し、前記Ｇ信号を構成するそれぞれの画素信号に前記Ｇ信号用のユニフォミティ補正データを乗算し、前記Ｂ信号を構成するそれぞれの画素信号に前記Ｂ信号用のユニフォミティ補正データを乗算し、前記Ｒ信号を構成するそれぞれの画素信号に前記Ｒ信号用のユニフォミティ補正データを乗算するときの画素の位置と、前記Ｇ信号を構成するそれぞれの画素信号に前記Ｇ信号用のユニフォミティ補正データを乗算するときの画素の位置と、前記Ｂ信号を構成するそれぞれの画素信号に前記Ｂ信号用のユニフォミティ補正データを乗算するときの画素の位置とを互いにずらすことを特徴とする画像処理方法を提供する。
【０００９】
さらに、本発明は、上述した従来の技術の課題を解決するため、上記の画像処理装置と、前記表示部とを備えることを特徴とする画像表示装置を提供する。
【発明の効果】
【００１０】
本発明の画像処理装置、画像処理方法、画像表示装置によれば、画面上の輝度を画面の全体でほぼ一定となるようにユニフォミティ補正することができ、さらに、所定の形状の輝度むらも低減させることができる。
【図面の簡単な説明】
【００１１】
【図１】一実施形態の画像処理装置及び画像表示装置を示すブロック図である。
【図２】基準ユニフォミティ補正データを生成するために、二次元輝度測定器によって画面上のＸＹＺ刺激値を測定している状態を示す概念図である。
【図３】画面上に設定する基準座標の例を示す図である。
【図４】図１におけるユニフォミティ補正データ補間部１２が、基準ユニフォミティ補正データに基づいてユニフォミティ補正データを補間する動作を説明するための図である。
【図５】ユニフォミティ補正データ補間部１２が補間によって生成する補正値の例を示す図である。
【図６】画面上の輝度の特性とユニフォミティ補正データとの関係を示す特性図である。
【図７】図１におけるレベル補正データ記憶部１４が記憶するレベル補正データの例を示す特性図である。
【図８】図１におけるレベル補正データ補間部１５が出力するレベル補正データの例を示す特性図である。
【図９】図８に示すレベル補正データによるユニフォミティ補正データの補正の状態を示す特性図である。
【図１０】画面上に発生する格子状の輝度むらの例を示す図である。
【発明を実施するための形態】
【００１２】
以下、一実施形態の画像処理装置、画像処理方法、画像表示装置について、添付図面を参照して説明する。
【００１３】
図１において、画像処理装置１０Ｒは、表示パネル２０に表示される画像の輝度むらを補正するために、ＲＧＢ信号におけるＲ信号を処理する。画像処理装置１０Ｇ，１０Ｂは、それぞれ、表示パネル２０に表示される画像の輝度むらを補正するために、ＲＧＢ信号におけるＧ信号，Ｂ信号を処理する。
【００１４】
表示パネル２０は、一例として画素が水平方向に１９２０画素、垂直方向に１０８０画素、マトリクス状に配置されたマトリクス型表示パネルである。表示パネル２０は、ＲＧＢ信号のような映像信号に基づいて画像表示する表示部の一例である。表示パネル２０の解像度は必ずしも水平方向１９２０画素、垂直方向１０８０画素に限定されない。
【００１５】
画像処理装置１０Ｒ，１０Ｇ，１０Ｂは、一実施形態の画像処理装置を構成する。画像処理装置１０Ｇ，１０Ｂの内部構成は、画像処理装置１０Ｒと同じである。画像処理装置１０Ｒ，１０Ｇ，１０Ｂ及び表示パネル２０は、一実施形態の画像表示装置を構成する。
【００１６】
画像処理装置１０Ｒ，１０Ｇ，１０Ｂに入力されるユニフォミティ補正前のＲＧＢ信号を、入力Ｒ信号Ｒ０，入力Ｇ信号Ｇ０，入力Ｂ信号Ｂ０と称することとする。入力Ｒ信号Ｒ０，入力Ｇ信号Ｇ０，入力Ｂ信号Ｂ０は１０ビットであるとする。
【００１７】
画像処理装置１０Ｒ，１０Ｇ，１０Ｂによってユニフォミティ補正されたＲＧＢ信号を、出力Ｒ信号Ｒ１，出力Ｇ信号Ｇ１，出力Ｂ信号Ｂ１と称することとする。
【００１８】
入力Ｒ信号Ｒ０，入力Ｇ信号Ｇ０，入力Ｂ信号Ｂ０は、表示パネル２０の解像度と同じ解像度を有する色信号であるとする。
【００１９】
ユニフォミティ補正データ記憶部１１は、入力Ｒ信号Ｒ０，入力Ｇ信号Ｇ０，入力Ｂ信号Ｂ０それぞれをユニフォミティ補正するための基準ユニフォミティ補正データを記憶している。
【００２０】
図２及び図３を用いて、基準ユニフォミティ補正データをどのように生成するかについて説明する。表示パネル２０は、信号発生器３１が発生する測定用テストパターンを表示する。測定用テストパターンは、例えば５０％ホワイト信号である。
【００２１】
二次元輝度測定器３２は、表示パネル２０の画面全体におけるＸＹＺ刺激値を測定する。パーソナルコンピュータ３３は、二次元輝度測定器３２が測定したＸＹＺ刺激値を取り込む。
【００２２】
図３に示すように、パーソナルコンピュータ３３は、一例として、表示パネル２０における水平方向９ポイント、垂直方向６ポイントよりなる５４ポイントを基準座標Ｐとして設定する。基準座標の数は表示パネル２０の解像度に伴い、最適な数を決定する。基準座標Ｐは、水平方向に等間隔、垂直方向に等間隔で設定される。
【００２３】
パーソナルコンピュータ３３は、基準座標Ｐを含む円にて示す所定の範囲のＸＹＺ刺激値の平均値を算出する。１つの範囲のＸＹＺ刺激値の平均値を基準ＸＹＺ刺激値と称することとする。なお、所定の範囲は、基準座標Ｐに位置する画素を含む数画素から数十画素程度の範囲とすればよい。
【００２４】
これによって、パーソナルコンピュータ３３は、５４ポイントの基準ＸＹＺ刺激値を得ることができる。
【００２５】
パーソナルコンピュータ３３は、５４ポイントの基準ＸＹＺ刺激値をＲＧＢ値に変換する。基準ＸＹＺ刺激値をＲＧＢ値に変換した値を基準ＲＧＢ値と称することとする。
【００２６】
５４ポイントの基準ＲＧＢ値は、通常、一定値とはならず、輝度むらが生じている。一般的には、画面周辺部よりも中央部の方が、基準ＲＧＢ値が高い。基準ＲＧＢ値のばらつきの仕方は、個々の表示パネル２０によって異なることがある。
【００２７】
パーソナルコンピュータ３３は、輝度むらを補正するために、５４ポイントの基準ＲＧＢ値のうちの最も輝度が低いポイントの基準ＲＧＢ値を基準とし、他の基準ＲＧＢ値を下げることによって輝度を均一化する基準補正値よりなる基準ユニフォミティ補正データを生成する。
【００２８】
ユニフォミティ補正データ記憶部１１は、以上のように生成した５４ポイントの基準補正値よりなる基準ユニフォミティ補正データを記憶している。
【００２９】
図１に戻り、ユニフォミティ補正データ補間部１２には、ユニフォミティ補正データが入力される。ユニフォミティ補正データ補間部１２は、水平方向及び垂直方向に隣接する基準座標Ｐと対角方向に位置する基準座標Ｐの４点の基準補正値を用い、２次元の線形補間によって基準座標Ｐ以外の補正値を生成する。
【００３０】
図４において、基準座標Ｐ０，Ｐ１，Ｐ２，Ｐ３は、５４ポイントの基準座標Ｐのうち、水平方向及び垂直方向に隣接する基準座標Ｐと対角方向に位置する基準座標Ｐよりなる任意の４点を示している。
【００３１】
基準座標Ｐ０，Ｐ１間、基準座標Ｐ２，Ｐ３間の間隔（画素数）をｍ、基準座標Ｐ０，Ｐ２間、基準座標Ｐ１，Ｐ３間の間隔（画素数）をｎとし、基準座標Ｐ０から水平方向にｈ、垂直方向にｖだけ離れた位置の座標を座標Ｐ（ｈ，ｖ）とする。
【００３２】
基準座標Ｐ０，Ｐ１，Ｐ２，Ｐ３における基準補正値をＤ０，Ｄ１，Ｄ２，Ｄ３、座標Ｐ（ｈ，ｖ）における補正値をＤ（ｈ，ｖ）とすると、補正値Ｄ（ｈ，ｖ）は２次元の線形補間による次の式（１）で求めることができる。
【００３３】
【数１】
0006361375.tif 000002
【００３４】
ユニフォミティ補正データ補間部１２には、水平カウンタ１３Ｈより水平カウント値が、垂直カウンタ１３Ｖより垂直カウント値が入力される。水平カウント値は、画面上の水平方向の位置を示す位置情報の一例である。垂直カウント値は、画面上の垂直方向の位置を示す位置情報の一例である。
【００３５】
ユニフォミティ補正データ補間部１２は、水平カウント値及び垂直カウント値に基づいて、画面上の水平方向及び垂直方向の位置を知ることができる。
【００３６】
ユニフォミティ補正データ補間部１２は、水平カウント値及び垂直カウント値に基づいて補正値Ｄ（ｈ，ｖ）を生成する。
【００３７】
図５の（ａ），（ｂ）は、ユニフォミティ補正データ補間部１２が生成する補正値の例を示している。
【００３８】
図５の（ａ）は、基準座標Ｐ０，Ｐ１，Ｐ２，Ｐ３における基準補正値Ｄ０，Ｄ１，Ｄ２，Ｄ３が、２４５，２３７，２３２，２５５なる値であった場合に、ユニフォミティ補正データ補間部１２が生成する補正値を示している。
【００３９】
図５の（ｂ）は、基準座標Ｐ０，Ｐ１，Ｐ２，Ｐ３における基準補正値Ｄ０，Ｄ１，Ｄ２，Ｄ３が、２４８，２３８，２５０，２５５なる値であった場合に、ユニフォミティ補正データ補間部１２が生成する補正値を示している。
【００４０】
図５の（ａ），（ｂ）では、簡略化のため、補正値を２段階ごとに分けて、それぞれの段階の補正値の分布を示している。図５の（ａ），（ｂ）より分かるように、ユニフォミティ補正データ補間部１２は、線形補間によって、基準座標Ｐ０，Ｐ１，Ｐ２，Ｐ３間で滑らかに変化する補正値Ｄ（ｈ，ｖ）を生成することができる。
【００４１】
以上のようにして、ユニフォミティ補正データ補間部１２は、基準補正値の間を補間することによって、入力Ｒ信号Ｒ０，入力Ｇ信号Ｇ０，入力Ｂ信号Ｂ０のそれぞれのフレーム全体を補正することができるユニフォミティ補正データを出力する。
【００４２】
ところで、水平方向１９２０画素を８分割すれば、図４における間隔ｍは２４０、垂直方向１０８０画素を５分割すれば、図４における間隔ｎは２１６となる。ユニフォミティ補正データ補間部１２は、間隔ｍ，ｎを２４０，２１６として補正値を生成してもよいが、本実施形態においては、補正回路にて演算しやすいように間隔ｍ，ｎを２５６，２５６として補正値を生成する。この間隔は表示パネル２０の解像度、ユニフォミティ補正データの許容量、求める品位によって決定する。
【００４３】
ユニフォミティ補正データ補間部１２が水平方向及び垂直方向に隣接する基準座標間の間隔を２のべき乗とすれば、式（１）による補正値の算出が容易となる。
【００４４】
ユニフォミティ補正データ補間部１２が間隔ｍ，ｎを２５６，２５６として補正値を生成すると、水平方向２０４８、垂直方向１２８０の補正値が生成されることになる。入力Ｒ信号Ｒ０，入力Ｇ信号Ｇ０，入力Ｂ信号Ｂ０が水平方向１９２０画素、垂直方向１０８０画素であれば、水平方向２０４８、垂直方向１２８０の補正値のうちの、水平方向１９２０、垂直方向１０８０の補正値を用いればよい。
【００４５】
表示パネル２０の画面上の輝度が、図６の（ａ）に示すように、水平方向の中央部で高い特性を有するとする。ここでは簡略化のため、水平方向のみの特性を示す。
【００４６】
ユニフォミティ補正データ記憶部１１及びユニフォミティ補正データ補間部１２は、以上説明した動作によって、図６の（ｂ）に示すように、水平方向の中央部で輝度を下げるようなユニフォミティ補正データを生成して出力する。
【００４７】
ユニフォミティ補正データ記憶部１１及びユニフォミティ補正データ補間部１２は、Ｒ信号に乗算するＲ信号用のユニフォミティ補正データと、Ｇ信号に乗算するＧ信号用のユニフォミティ補正データと、Ｂ信号に乗算するＢ信号用のユニフォミティ補正データを発生するユニフォミティ補正データ発生部である。
【００４８】
図６の（ａ）に示す特性を有するＲＧＢ信号に図６の（ｂ）に示すユニフォミティ補正データを乗算すれば、画面上の輝度が均一化して輝度むらを補正することができる。
【００４９】
本実施形態においては、ユニフォミティ補正データ発生部を、ユニフォミティ補正データ記憶部１１とユニフォミティ補正データ補間部１２とで構成しているが、それに限定されるものではない。
【００５０】
但し、ユニフォミティ補正データ記憶部１１は、複数のポイントの基準補正値よりなる基準ユニフォミティ補正データを記憶するだけであるので、画面上の全てのポイントの補正値を記憶する場合と比較して、記憶すべきデータ量を削減することができる。
【００５１】
ところで、色信号レベルが低い領域において、図６の（ｂ）に示すユニフォミティ補正データを乗算すると、入力Ｒ信号Ｒ０，入力Ｇ信号Ｇ０，入力Ｂ信号Ｂ０それぞれがレベル０に近付く。すると、ホワイトバランスがずれてしまうことがある。
【００５２】
図１における乗算器１７，レベル補正データ記憶部１４，レベル補正データ補間部１５，遅延器１６は、ユニフォミティ補正したときに色信号レベルが低い領域においてホワイトバランスがずれることを防止するために設けている。
【００５３】
レベル補正データ記憶部１４には、例えば６ビットのレベル補正データが記憶されている。図７に示すように、レベル補正データは、入力Ｒ信号Ｒ０，入力Ｇ信号Ｇ０，入力Ｂ信号Ｂ０を６ビットで表現したときの色信号レベルに対して、白丸で示すレベル補正値を規定するデータである。レベル補正データ記憶部１４は、ルックアップテーブルで構成することができる。
【００５４】
レベル補正データは、色信号レベルが０のときレベル補正値は１．０を超える例えば１．２であり、色信号レベルが所定の低レベルである閾値ＴＨ１までレベル補正値が段階的に１．０まで漸減し、閾値ＴＨ１以降、１．０の一定値である。
【００５５】
レベル補正データ補間部１５には、入力Ｒ信号Ｒ０，入力Ｇ信号Ｇ０，入力Ｂ信号Ｂ０と、レベル補正データ記憶部１４より読み出されたレベル補正データとが入力される。
【００５６】
レベル補正データ補間部１５は、６ビットのレベル補正データに基づいて、１０ビットの入力Ｒ信号Ｒ０，入力Ｇ信号Ｇ０，入力Ｂ信号Ｂ０の色信号レベルに対応したレベル補正値を補間する。
【００５７】
レベル補正データ補間部１５がレベル補正値を補間することによって、レベル補正データ補間部１５からは、図８に示すような、１０ビットの色信号レベルに対してレベル補正値を規定するレベル補正データが出力される。
【００５８】
図８において、閾値ＴＨ１は、例えば色信号レベル８０のように適宜の値に設定すればよい。閾値ＴＨ１は、色信号レベルが６０〜１００程度の低レベル領域に設定すればよく、具体的にどの値とするかは設計的事項として決定すればよい。
【００５９】
レベル補正データ補間部１５から出力された１０ビットのレベル補正データは、遅延器１６に入力される。遅延器１６は、レベル補正データを、ユニフォミティ補正データ記憶部１１及びユニフォミティ補正データ補間部１２がユニフォミティ補正データを生成して出力するタイミングと一致させるように遅延させて、乗算器１７に供給する。
【００６０】
乗算器１７は、図６の（ｂ）に示すユニフォミティ補正データと、図８に示すレベル補正データとを乗算する。色信号レベルが閾値ＴＨ１以上であれば、乗算器１７は、入力されたユニフォミティ補正データをそのまま出力する。
【００６１】
色信号レベルが閾値ＴＨ１未満であれば、乗算器１７は、入力されたユニフォミティ補正データに対して、色信号レベルが小さくなるほど大きなレベル補正値を乗算して出力する。
【００６２】
よって、色信号レベルが閾値ＴＨ１未満のとき、乗算器１７より出力されるユニフォミティ補正データは、図９に示すように、実線で示す補正値が一点鎖線で示す補正値へと補正される。即ち、色信号レベルが閾値ＴＨ１未満のときには、ユニフォミティ補正が弱められる。よって、ホワイトバランスがずれることが防止される。
【００６３】
以上説明したレベル補正データ記憶部１４〜乗算器１７の部分は、入力Ｒ信号Ｒ０，入力Ｇ信号Ｇ０，入力Ｂ信号Ｂ０の色信号レベルが所定の閾値ＴＨ１未満のとき、各色のユニフォミティ補正データの大きさを小さくするように補正するレベル補正部となっている。
【００６４】
レベル補正部は、色信号レベルが低い領域においてホワイトバランスがずれることを防止するための構成であるので、ホワイトバランスを重視しない場合には省略可能である。レベル補正部を省略した構成は、色信号レベルの全領域において、ユニフォミティ補正を重視する構成である。
【００６５】
本実施形態においては、レベル補正部を、レベル補正データ記憶部１４とレベル補正データ補間部１５とを含む構成としているが、それに限定されるものではない。
【００６６】
レベル補正データ記憶部１４を１０ビットのレベル補正データを記憶するルックアップテーブルで構成して、レベル補正データ補間部１５を省略してもよい。但し、レベル補正データ記憶部１４を６ビットのレベル補正データを記憶するルックアップテーブルで構成すれば、記憶すべきデータ量を削減することができる。
【００６７】
乗算器１７より出力されたユニフォミティ補正データは、乗算器１９に入力される。
【００６８】
入力Ｒ信号Ｒ０，入力Ｇ信号Ｇ０，入力Ｂ信号Ｂ０は、遅延器１８にも入力される。遅延器１８は、入力Ｒ信号Ｒ０，入力Ｇ信号Ｇ０，入力Ｂ信号Ｂ０を、ユニフォミティ補正データを生成して出力するタイミングと一致させるように遅延させて、乗算器１９に供給する。
【００６９】
乗算器１９は、遅延器１８によって遅延された入力Ｒ信号Ｒ０，入力Ｇ信号Ｇ０，入力Ｂ信号Ｂ０に対して乗算器１７より出力されたユニフォミティ補正データを乗算する。これによって、乗算器１９は、ユニフォミティ補正された出力Ｒ信号Ｒ１，出力Ｇ信号Ｇ１，出力Ｂ信号Ｂ１を出力する。
【００７０】
出力Ｒ信号Ｒ１，出力Ｇ信号Ｇ１，出力Ｂ信号Ｂ１は表示パネル２０に供給されて、画像表示される。
【００７１】
以上説明した構成及び動作によって、本実施形態の画像処理装置、画像処理方法、画像表示装置は、画面上の輝度を画面の全体でほぼ一定となるようにユニフォミティ補正することができる。また、Ｒ信号，Ｇ信号，Ｂ信号の輝度むらを個別に補正することで、結果として色むらを補正することができる。
【００７２】
ところが、本発明者による検証によって、画面上の輝度を画面の全体でほぼ一定となるようにユニフォミティ補正したとしても、図１０に示すように、格子状の輝度むら５０が発生することが明らかとなった。図１０における黒丸は画素Pxlを示す。
【００７３】
格子状の輝度むら５０は、表示パネル２０に表示される出力Ｒ信号Ｒ１に基づく赤色画像、出力Ｇ信号Ｇ１に基づく緑色画像、出力Ｂ信号Ｂ１に基づく青色画像のそれぞれで発生する。
【００７４】
そこで、本実施形態の画像処理装置、画像処理方法、画像表示装置においては、次のようにして、格子状の輝度むら５０を低減させる。
【００７５】
図１において、画像処理装置１０Ｒの乗算器１９は、Ｒ信号の画素信号にＲ信号用のユニフォミティ補正データを乗算する。画像処理装置１０Ｇの乗算器１９は、Ｇ信号の画素信号にＧ信号用のユニフォミティ補正データを乗算する。画像処理装置１０Ｂの乗算器１９は、Ｂ信号の画素信号にＢ信号用のユニフォミティ補正データを乗算する
【００７６】
このとき、画像処理装置１０Ｒ，１０Ｇ，１０Ｂの乗算器１９は、ＲＧＢ信号の画素信号にユニフォミティ補正データを乗算するときの画素の位置を互いにずらしている。
【００７７】
前述のように、ユニフォミティ補正データ補間部１２は、画面上の水平方向及び垂直方向それぞれの位置情報を用いて、複数の基準となるポイント以外のポイントにおける補正値を補間する。
【００７８】
画像処理装置１０Ｒ，１０Ｇ，１０Ｂにおけるそれぞれのユニフォミティ補正データ補間部１２は、Ｒ信号用，Ｇ信号用，Ｂ信号用のユニフォミティ補正データを生成するときに用いる位置情報を水平方向及び垂直方向にずらす。これによって、ＲＧＢ信号の画素信号にユニフォミティ補正データを乗算するときの画素の位置を互いにずらすことができる。
【００７９】
具体的には、例えば次のようにすればよい。画像処理装置１０Ｒの水平カウンタ１３Ｈによる水平カウント値と垂直カウンタ１３Ｖによる垂直カウント値を０から開始させる。画像処理装置１０Ｇの水平カウンタ１３Ｈによる水平カウント値と垂直カウンタ１３Ｖによる垂直カウント値を１０から開始させる。
【００８０】
画像処理装置１０Ｂの水平カウンタ１３Ｈによる水平カウント値と垂直カウンタ１３Ｖによる垂直カウント値を２０から開始させる。
【００８１】
このように、水平カウント値と垂直カウント値の開始値をずらすことによって、ＲＧＢ信号の画素信号にユニフォミティ補正データを乗算するときの画素の位置を数画素から数十画素程度、容易にずらすことができる。
【００８２】
図１０に示す格子状の輝度むら５０は、赤色画像と緑色画像と青色画像とで位置がずれることから大方相殺され、輝度むら５０の発生を大幅に低減させることができる。
【００８３】
図３で説明したように、基準ＲＧＢ値は、基準座標Ｐに位置する画素を含む数画素から数十画素程度の範囲のＸＹＺ刺激値の平均値に基づいて算出されている。よって、ＲＧＢ信号の画素信号にユニフォミティ補正データを乗算するときの画素の位置をずらすことによる弊害は特に発生しない。
【００８４】
本発明は以上説明した本実施形態に限定されるものではなく、本発明の要旨を逸脱しない範囲において種々変更可能である。
【符号の説明】
【００８５】
１０Ｒ，１０Ｇ，１０Ｂ  画像処理装置
１１  ユニフォミティ補正データ記憶部（ユニフォミティ補正データ発生部）
１２  ユニフォミティ補正データ補間部（ユニフォミティ補正データ発生部）
１４  レベル補正データ記憶部（レベル補正部）
１５  レベル補正データ補間部（レベル補正部）
１６  遅延器（レベル補正部）
１７  乗算器（レベル補正部）
１９  乗算器
２０  表示パネル（表示部）
【図１】
0006361375.tif 000003
【図２】
0006361375.tif 000004
【図３】
0006361375.tif 000005
【図４】
0006361375.tif 000006
【図５】
0006361375.tif 000007
【図６】
0006361375.tif 000008
【図７】
0006361375.tif 000009
【図８】
0006361375.tif 000010
【図９】
0006361375.tif 000011
【図１０】
0006361375.tif 000012